(57)【要約】【課題】  インテリヤ等の室内で使用する照明装置に限定されることなく、屋外の照明装置や道路埋設が可能な照明装置等、幅広く使えるように防水性や圧縮強度等を高めた構造を持つ照明装置で、かつ、ＬＥＤの光が横方向への広がりを持つ新しい照明装置を提供することを課題とする。【達成手段】  ソーラーパネルと、該ソーラーパネルで得られる電気を貯蔵する蓄電池と、該蓄電池から供給される電流によって発光する発光ダイオードとを、レンズ部と筐体部と底板部とからなり、レンズ部と筐体部とが一体成形された透光性プラスチック製のレンズ付筐体内に内蔵した照明装置であり、前記発光ダイオード及びソーラーパネルが前記レンズ部内側に近接、或いは接するように配設され、更に蓄電池が順次レンズ付筐体内に配設されてレンズ付き筐体が閉鎖された後、該レンズ付筐体のレンズ部を除く外側部分が前記透光性プラスチックと親和性のある熱可塑性エラストマーで被覆されてなることを特徴とする耐久性に優れた照明装置。【選択図】図１
2006099998.tif 000002
【特許請求の範囲】
【請求項１】
ソーラーパネルと、該ソーラーパネルで得られる電気を貯蔵する蓄電池と、該蓄電池から供給される電流によって発光する発光ダイオードとを、透光性プラスチックからなるレンズ部を備えたレンズ付筐体内に内蔵した照明装置であり、前記発光ダイオード及びソーラーパネルが前記レンズ部内側に近接、或いは接するように配設され、更に蓄電池が順次レンズ付き筐体内に配設されてレンズ付き筐体が閉鎖された後、該レンズ付筐体のレンズ部を除く外側部分が前記透光性プラスチックと親和性のある熱可塑性エラストマーで被覆されてなることを特徴とする耐久性に優れた照明装置。
【請求項２】
前記レンズ付筐体のレンズ部内側の、発光ダイオード発光部と相対する面が、レンズ部外側を形成する球面の中心へ向けて垂直方向に突出する円錐形状であって、該円錐形状の中心線と円錐面のなす角度が６０°±１０°の範囲内であり、前記発光ダイオード発光部が、該円錐形状の頂点と接する、或いは近接するように配設されてなることを特徴とする請求項１記載の耐久性に優れた照明装置。
【請求項３】
前記透光性プラスチックがポリカーボネート樹脂、アクリル樹脂、ポリスチレン樹脂、透明ナイロン、ポリオレフィン系樹脂、ポリエステル系樹脂から選ばれる透光性プラスチックであることを特徴とする請求項１又は２に記載の耐久性に優れた照明装置。
【請求項４】
前記透光性プラスチックがポリカーボネート樹脂であることを特徴とする請求項１又は２に記載の耐久性に優れた照明装置。
【請求項５】
前記熱可塑性エラストマーの曲げ弾性率（ＡＳＴＭ  Ｄ７９０に準じて測定）が２０〜３００ＧＰａであることを特徴とする請求項１〜４いずれか一項に記載の耐久性に優れた照明装置。
【請求項６】
前記熱可塑性エラストマーの圧縮永久歪（ＪＩＳ  Ｋ６３０１に準じて測定）が６０％以下であることを特徴とする請求項１〜５のいずれか一項に記載の耐久性に優れた照明装置。
【請求項７】
前記熱可塑性エラストマーが、オレフィン系エラストマー、スチレン系エラストマー、ポリエステル系エラストマーおよびウレタン系エラストマー、ポリアミド系エラストマーから選ばれる熱可塑性エラストマーであることを特徴とする請求項１〜６のいずれか一項に記載の耐久性に優れた照明装置。
【請求項８】
前記熱可塑性エラストマーがポリエステルエラストマーであることを特徴とする請求項１〜６のいずれか一項に記載の耐久性に優れた照明装置。
【請求項９】
前記照明装置のレンズ部方向から、常温で圧縮応力５００ｋｇｆの荷重をかけ、１００回の繰返し圧縮試験を行った後、前記熱可塑性エラストマーに、目視によるヒビ割れや外観変形がなく、かつ前記照明装置のレンズ部から底板方向の圧縮歪みが３％以下であることを特徴とする請求項１〜８のいずれか一項に記載の耐久性に優れた照明装置。
【発明の詳細な説明】
【技術分野】
【０００１】
本発明は、ソーラーパネル、発光ダイオード、及び蓄電池から構成される照明装置に関する。詳しくは、防水性や強度特性に優れる照明装置であり、かつ光源が発光ダイオードでありながら、光が照明装置のレンズ表面全体に明るく広がり、インテリヤ関連の照明から防災設備、消防設備等の屋外の照明設備や道路上にも設置が可能な照明装置に関する。
【背景技術】
【０００２】
発光ダイオード（以下、ＬＥＤという）を利用した照明器具はインテリヤ等の照明装置に多く用いられ、ソーラーパネルとＬＥＤを組み合わせて太陽光を利用した屋外用の照明装置としても利用されるようになっている（例えば、特許文献１〜３参照）。しかしながら従来の屋外用の照明装置は、屋外で長期間使用するには強度や雨水のシール性等、耐久性に多くの問題点があり、極めて限定された屋外照明の用途にしか使用することが出来なかった。また、道路等に夜間標識として埋設させて使用する場合、自動車の往来などによって圧縮荷重が周期的に加わると、照明装置の接合部などの弱点部が破損してしまうという問題があった。
【０００３】
また、ＬＥＤから発光される光は比較的方向性があって光の横方向への広がりが不十分なため、少し角度のあるとこらから見ると光が見にくいという問題があり、そのため、ＬＥＤを使った照明装置は照明装置の表面部分全体が明るく光るように改良することが強く要望されていた。
【特許文献１】特開平８−３９４８号公報
【特許文献２】特開２００１−３３９０９２号公報
【特許文献３】特開２００３−５２２０８号公報
【発明の開示】
【発明が解決しようとする課題】
【０００４】
そこで、本発明は、インテリヤ等の室内で使用する照明装置に限定されることなく、屋外の照明装置や道路埋設が可能な照明装置等、幅広く使えるように防水性や圧縮強度等を高めた構造を持つ照明装置で、かつ、ＬＥＤの光が横方向への広がりを持つ新しい照明装置を提供することを課題とするものである。
【課題を解決するための手段】
【０００５】
本発明者らは、上記課題を解決するために鋭意研究した結果、透光性プラスチックによりレンズ部と筐体部を一体成形した筐体を用い、熱可塑性エラストマー（以下、ＴＰＥともいう）によりレンズ部以外のレンズ付筐体を被覆すること、及びレンズ部の形状を最適化することが有効であることを見出し、本発明を完成するに至った。
【０００６】
即ち、本発明は、
（１）ソーラーパネルと、該ソーラーパネルで得られる電気を貯蔵する蓄電池と、該蓄電池から供給される電流によって発光する発光ダイオードとを、レンズ部と筐体部と底板部とからなり、レンズ部と筐体部とが一体成形された透光性プラスチック製のレンズ付筐体内に内蔵した照明装置であり、前記発光ダイオード及びソーラーパネルが前記レンズ部内側に近接、或いは接するように配設され、更に蓄電池が順次レンズ付筐体内に配設されてレンズ付き筐体が閉鎖された後、該レンズ付筐体のレンズ部を除く外側部分が前記透光性プラスチックと親和性のある熱可塑性エラストマーで被覆されてなることを特徴とする耐久性に優れた照明装置、
（２）前記レンズ付筐体のレンズ部内側の、発光ダイオード発光部と相対する面が、レンズ部外側を形成する球面の中心へ向けて垂直方向に突出する円錐形状であって、該円錐形状の中心線と円錐面のなす角度が６０°±１０°の範囲内であり、前記発光ダイオード発光部が、該円錐形状の頂点と接する、或いは近接するように配設されてなることを特徴とする（１）に記載の耐久性に優れた照明装置、
（３）前記透光性プラスチックがポリカーボネート樹脂、アクリル樹脂、ポリスチレン樹脂、透明ナイロン、ポリオレフィン系樹脂、ポリエステル系樹脂から選ばれる透光性プラスチックであることを特徴とする（１）又は（２）に記載の耐久性に優れた照明装置、
（４）前記透光性プラスチックがポリカーボネート樹脂であることを特徴とする（１）又は（２）に記載の耐久性に優れた照明装置、
（５）前記熱可塑性エラストマーの曲げ弾性率（ＡＳＴＭ  Ｄ７９０に準じて測定）が２０〜３００ＧＰａであることを特徴とする（１）〜（４）のいずれか一項に記載の耐久性に優れた照明装置、
（６）前記熱可塑性エラストマーの圧縮永久歪（ＪＩＳ  Ｋ６３０１に準じて測定）が６０％以下であることを特徴とする（１）〜（５）のいずれか一項に記載の耐久性に優れた照明装置、  
（７）前記熱可塑性エラストマーが、オレフィン系エラストマー、スチレン系エラストマー、ポリエステル系エラストマーおよびウレタン系エラストマー、ポリアミド系エラストマーから選ばれる熱可塑性エラストマーであることを特徴とする（１）〜（６）のいずれか一項に記載の耐久性に優れた照明装置、
（８）前記熱可塑性エラストマーがポリエステルエラストマーであることを特徴とする（１）〜（６）のいずれか一項に記載の耐久性に優れた照明装置
（９）前記照明装置のレンズ部方向から、常温で圧縮応力５００ｋｇｆの荷重をかけ、１００回の繰返し圧縮試験を行った後、前記熱可塑性エラストマーに、目視によるヒビ割れや外観変形がなく、かつ前記照明装置のレンズ部から底板方向の圧縮歪みが３％以下であることを特徴とする（１）〜（８）のいずれか一項に記載の耐久性に優れた照明装置、である。
【発明の効果】
【０００７】
本発明により、透光性プラスチックからなる、レンズ部を備えたレンズ付筐体を用い、該レンズ付筐体内に発光装置部材を収納させた後、該レンズ付筐体のレンズ部を除く外側部分が上記透光性プラスチックと親和性のある熱可塑性エラストマー（ＴＰＥ）によって被覆されているため、防水機能が高められ、かつ高い圧縮応力にも破損や変形を起こさない強靭な筐体となり、耐久性に優れた照明装置が得られる。更に筐体のレンズ部の形状を最適化することにより、ＬＥＤから発光される光が横方向にも広がり、表面部分全体が明るく光る耐久性に優れた照明装置が得られる。このようなＬＥＤとソーラーパネルとを組み合わせた照明装置は従来のインテリヤ用途だけでなく、特に屋外や道路等に埋設する用途等の耐衝撃性と耐水性が要求される分野で使用することが出来る。
【発明を実施するための最良の形態】
【０００８】
本発明の照明装置は、ソーラーパネルと、該ソーラーパネルで得られる電気を貯蔵する蓄電池と、該蓄電池から供給される電流によって発光する発光ダイオードとを、透光性プラスチックからなるレンズ部を備えたレンズ付筐体内に内蔵した照明装置であり、発光ダイオード及びソーラーパネルが前記レンズ部内側に近接、或いは接するように配設され、更に蓄電池が順次レンズ付筐体内に配設されてレンズ付き筐体が閉鎖された後、該レンズ付筐体のレンズ部を除く外側部分が前記透光性プラスチックと親和性のある熱可塑性エラストマーで被覆されてなる耐久性に優れた照明装置である。
【０００９】
本発明におけるレンズ付筐体とは、レンズ部と筐体部と底板部とからなり、レンズ部と筐体部とが一体成形されたものである。上記発光ダイオードはその発光部が前記レンズ部内側の円錐形状の頂点と近接、或いは接するように配設され、上記ソーラーパネルは、レンズ部から入射する太陽光による発電が可能なように、受光面をレンズ方向に向けてレンズ部内側に近接するように配設され、蓄電池などの他の部材は、レンズ部以外の筐体部に収納される。
【００１０】
本発明におけるレンズ付筐体は、レンズの役割を果たすことができる透光性プラスチックによって成形されている。レンズ付筐体を形成する透光性プラスチックとしては、光透過性が高いプラスチックであることが必要であるがそれ以外は特に限定されない。光透過性が高いプラスチックとしては、ポリカーボネート樹脂、アクリル樹脂、ポリスチレン樹脂、透明ナイロン、ポリオレフィン系樹脂、ポリエステル系樹脂などを挙げることができ、中でも耐衝撃性の点でポリカーボネート樹脂がより好ましい。
【００１１】
上記ポリカーボネート樹脂は、主鎖中に炭酸エステル結合（―Ｏ−Ｒ−ＯＣＯ−）を持つ線状高分子で、グリコールまたは２価のフェノールにホスゲンまたは炭酸エステルを反応させて製造される樹脂である。本発明では、その構成成分及び製造方法は特に限定されるものではなく、本発明の効果を阻害しない範囲内で一般的なポリカーボネートなら使用することが出来る。
【００１２】
本発明においてレンズ付筐体のレンズ部を除く外側部分を被覆する熱可塑性エラストマー（ＴＰＥ）は、ゴムのように加硫をする必要のない弾性体材料であり、一般にハード成分（硬くて剛直な成分）とソフト成分（軟らかくてフレキシブルな成分）から構成された材料である。
【００１３】
本発明に使用される熱可塑性エラストマー（ＴＰＥ）としては、オレフィン系熱可塑性エラストマー、スチレン系熱可塑性エラストマー、ポリエステル系熱可塑性エラストマーおよびウレタン系熱可塑性エラストマー、ポリアミド系熱可塑性エラストマー等を挙げることが出来、これらの熱可塑性エラストマーは、透光性プラスチックの種類によって透光性プラスチックと親和性のあるものを選択することが必要である。  例えば、親和性のあるＴＰＥとしては、透光性プラスチックがポリカーボネート樹脂の場合は、ポリエステル系熱可塑性エラストマー、ポリオレフィン系樹脂の場合は、オレフィン系熱可塑性エラストマーなどを挙げることができ、極性基や化学構造が類似し、相溶性がよいもの同士が好ましい。これらの組み合わせの中で、ポリカーボネート樹脂とポリエステル系熱可塑性エラストマーの組み合わせが、耐久性に優れた照明装置を製造できるので特に好ましい。
【００１４】
本発明におけるポリエステル系熱可塑性エラストマー（以下、ＴＰＥＥともいう）はハード成分とソフト成分から構成される弾性回復性が優れた樹脂で、具体的にはハード成分としてポリブチレンテレフタレートやポリブチレンナフタレート、ソフト成分としてはポリテトラメチレングリコールやポリカプロラクトンから構成されるＴＰＥＥを挙げることが出来る。
【００１５】
本発明における熱可塑性エラストマーは、曲げ弾性率（ＡＳＴＭ  Ｄ７９０に準じて測定）が２０〜３００ＧＰａであることが好ましく、４０〜２００ＧＰａであることがより好ましい。３００ＧＰａを超えると、緩衝効果の発現が少なく照明装置の耐衝撃性が低下し、また、４０ＧＰａより低くなると、耐クリープ性が低下するため好ましくない場合が多い。
【００１６】
また、本発明における熱可塑性エラストマーは、表面硬度がショアーＤ硬度で２５〜７０度が好ましく、３０〜５５度であることがより好ましい。ショアーＤ硬度が２５度未満になると、耐熱性が劣り、かつ射出成形性が劣化するため好ましくない場合が多い。一方、ショアーＤ硬度が７０度を越えると、硬くなり、弾性回復性や応力分散性が劣下するため好ましくない場合が多い。
【００１７】
さらに、本発明における熱可塑性エラストマー（ＴＰＥ）は、圧縮永久歪（ＪＩＳ  Ｋ６３０１に準じて測定）が６０％以下であることが好ましい。本発明におけるＴＰＥは圧縮応力等の外力が働いた場合、元の形状に戻る弾性回復性が極めて重要である。弾性回復性が低いＴＰＥは徐々に変形が大きくなり、歪部分に応力が集中してヒビ割れ等の原因となり易い。圧縮永久歪が６０％を超えると弾性回復性が低下するため好ましくない場合が多い。
【００１８】
本発明の照明装置は、照明装置を被覆する熱可塑性エラストマーが、照明装置のレンズ部方向から常温で圧縮応力５００ｋｇｆの荷重をかけ、１００回の繰返し圧縮試験で目視によるヒビ割れや外観変形がなく、かつ照明装置のレンズ部から底板方向の圧縮永久歪みが３％以下であることが好ましい。この圧縮歪みが３％を超えると、長期にわたる繰り返し圧縮応力を受けると変形量が大きくなり、道路などに埋設する照明装置としては好ましくない場合が多い。
【００１９】
本発明に使用される透光性プラスチック（好ましくはポリカーボネート）、熱可塑性エラストマー（ＴＰＥ、好ましくはＴＰＥＥ）には、それぞれの材料によって通常に使われている熱安定剤、光安定剤、酸化防止剤、帯電防止剤、結晶核剤、滑剤、離型剤、顔料、染料等の添加、配合が出来る。
【００２０】
本発明の照明装置において、発光のための主要部品は、ソーラーパネルと、該ソーラーパネルで得られる電気を貯蔵する蓄電池と、該蓄電池から供給される電流によって発光するＬＥＤである。他に、各部品を電気的に接続する電気回路等の部品や、固定に要する部品などを用いるが、これらは、上記主要部品を使用する照明装置に一般的に必要とされる部品を用いることができる。
【００２１】
ソーラーパネルは、光エネルギーを電気エネルギーに変換する素子であり、例えば、単結晶シリコン・多結晶シリコン・アモルファスシリコン等を用いたソーラーセルを、必要電力量に応じて複数枚、直列及び／又は並列に接続し並設したものである。本発明に使用されるソーラーパネルとしては特に制限はなく、本発明の効果を阻害しない範囲内で一般的なソーラーパネルなら使用することが出来る。
【００２２】
蓄電池は、ソーラーパネルで発電した電力を貯蔵するためのもので、電気回路上はソーラーパネルとＬＥＤとの間に設けられる。本発明に使用される蓄電池としては特に制限はなく、ニッケル−カドミウム、ニッケル−水素等、一般的なものが使用可能だが、電気二重層コンデンサ（電気二重層キャパシタ）を蓄電池として使用することも可能である。
【００２３】
ＬＥＤ発光用の電気回路に、逆流防止用ダイオード、過電圧保護回路を組み込むのは好ましい実施態様である。逆流防止用ダイオードはソーラーパネルに逆電流が流れるのを防止し、過電圧保護回路は、ソーラーパネルの過充電電圧に達するとソーラーパネルの出力を遮断するもので、いずれもＬＥＤ発光用の電気回路の長寿命化に有効である。
【００２４】
本発明の実施の形態をさらに図面に基づき説明する。
図１は、本発明の照明装置の実施形態例を側面方向から見た断面図である。図１の照明装置は、ソーラーパネル２と、ソーラーパネル２で得られる電気を貯蔵する蓄電池３と、蓄電池３から供給される電流によって発光するＬＥＤ１とを、レンズ付筺体４内に内蔵する。上記各部品は図示しないＬＥＤ発光回路によって電気的に接続され、さらに図示しない固定部材によって固定されている。主として透光性プラスチックからなるレンズ付筺体４は、レンズ部４ａ、筺体部４ｂ、底板部４ｃから構成され、レンズ部４ａと筺体部４ｂは一体成形されている。ＬＥＤ１の発光部は、レンズ部４ａ内側に設けられた凹部の頂面（円錐形状部分）６に接するように配設され、さらにソーラーパネル２が、レンズ部内側４ａに近接して配置される。従って、ＬＥＤ１とソーラーパネル２が、レンズ部４ａ内側に装着された状態となる。さらに蓄電池３が順次筺体部４ｂ内に配設され、筐体部４ｂの開口部が底板部４ｃにより閉鎖される。筐体部４ｂと底板部４ｃとは、ボルト５によって固定されている。さらにレンズ付筐体４のレンズ部４ａを除く外側部分、即ち筺体部４ｂと底板部４ｃの外側部分が、レンズ付筐体４を形成する透光性プラスチックと親和性のある熱可塑性エラストマー（ＴＰＥ）で一体に被覆されている（図１中、被覆部７で示される。）。ＴＰＥによる被覆部７によって、底板部４ｃを固定するボルト５周辺からの雨水の侵入を防止することが可能となり、防水性に優れた照明装置となる。また、本発明の照明装置を道路等に埋設した場合、照明装置のレンズ部方向から受ける圧縮応力はＴＰＥの被覆部７の緩衝効果によって吸収され、底板部４ｃのボルト５周辺には応力集中が起きないため、底板部４ｃの破損を防ぐことが出来る。従ってＴＰＥの被覆部７により、極めて高い防水効果と、圧縮応力にも強い構造を得ることができる。さらには、図１の照明装置の底板部４ｃ外側には、ＴＰＥからなる台部８が設けられており、ＴＰＥの被覆部７の緩衝効果を補強している。
【００２５】
一方、照明装置の用途によっては、発光ダイオードから発光される比較的方向性がある光を横方向へ広げ、照明装置の発光部分の表面部分全体が明るく光ることが好ましい。図２は、従来の、ＴＰＥによる被覆部のない照明装置の形態例を側面方向から見た断面図（図１の照明装置の示した態様と同一の部分には、同一の符号を付し、重複説明を省略する。）であるが、図２の照明装置は、ＬＥＤ１の発光部が相対する、レンズ部４ａ内側に設けられた凹部の頂面６’は、レンズ部の中心線（図２中、線ａ’で示される。）に対しほぼ垂直な平面形状である。即ち、レンズ部の中心線ａ’と、凹部の頂面６’（図２中、線ｂ’で示される。）のなす角度（レンズ部の内面角度）は約９０度である。この場合、発光ダイオードから出る光の横方向（レンズ部横方向）への広がりが少なくなる。これに対し、図１に示したように、レンズ部４ａ内側に設けられた凹部の頂面６の内面角度を調整することにより、発光ダイオードから発光される光を屈折させ、横方向への広がりが得られることがわかった。
【００２６】
本発明においては、レンズ部内側の、発光ダイオードの発光部が接する、あるいは近接する部分が、レンズ部外側を形成する球面の中心へ向けて垂直方向に突出する円錐形状であって、該円錐形状の中心線と円錐面のなす角度が６０°±１０°の範囲内にあるのが好ましい。上記角度を６０°±１０°の範囲内とすることにより、発光ダイオードの発光時に、レンズ部全面から発光することが可能になる。
【００２７】
図１の照明装置において、レンズ部４ａ内側に設けられた凹部の頂面６が円錐形状であり、円錐形状の中心線（レンズ部中心線）ａと円錐面を示す線ｂのなす角度（レンズ部４ａの内面角度）が一致する６０°±１０°の範囲内である。このような構成とすることにより、ＬＥＤ１から発光する光がレンズ部４ａの横方向（照明装置の取り付け面と一致する）とほぼ平行に広がり、照明装置の表面部分全体が明るく光るようになる。上記構成を有する照明装置は道路等の路面に埋設したときに、表面部分全体が明るく光り、遠くから照明装置の埋設場所を判別することが容易に出来るようになる。
【００２８】
本発明において、照明装置のレンズ部を除く外側部分に熱可塑性エラストマーを被覆する方法は特に限定されるものではなく、被覆成形法や熱溶着法および圧入法など公知の製造法を使用することができる。具体的な製造法を例示すると、図１の構成の照明装置の場合、筐体部の開口部に底板部をボルトで結合して閉鎖したレンズ付筺体を金型のキャビティ中に装着し、底板部を含む筐体部の外側部分に熱可塑性エラストマーを追加射出成形するインサート成形法が好ましい。更に、予め成形してある熱可塑性エラストマーの成形品に上記照明装置を圧入し、超音波溶着機等で溶着させる方法等などを採用することができるが、本発明はこれらの製造法に限定されるものではない。
【００２９】
本発明の照明装置は、図１の実施形態におけるＴＰＥからなる台部のような他の構成を本発明の作用を阻害しない範囲で有していても良い。
【実施例】
【００３０】
以下に実施例により本発明を具体的に説明するが、本発明はこれらの実施例により何ら制限されるものではない。
【００３１】
ソーラーパネル２と、蓄電池１と、発光ダイオード（ＬＥＤ）１とを内蔵し、筺体部４ｂと底板部４ｃをボルト５で固定した図１に示す構成のポリカーボネート樹脂製のレンズ付筺体を射出成形機の金型のキャビティに挿入し、インサート成形法により、レンズ付筐体のレンズ部を除く外側部分を図１に示すようにＴＰＥで被覆して本発明の照明装置を製造した。
被覆に使用したＴＰＥはポリエステル系熱可塑性エラストマーで、「ペルプレンＰ４０Ｈ」（東洋紡（株）製、ショアーＤ硬度：３８度）を使用した。ペルプレンＰ４０Ｈの射出成形条件はシリンダー温度１８０〜２３０℃、金型温度３０℃で、照明装置のＴＰＥの被覆成形を行った。
本発明の照明装置の形状寸法は円筒形で、円筒直径（ＴＰＥの被覆１０の外径）＝５２ｍｍ、高さ（ＴＰＥの台部９から、レンズ部４ａの外周肩部を被覆する部分まで）＝３９．１ｍｍであった。
【００３２】
上記の、本発明の照明装置は、ＬＥＤから発光される光が照明装置の取り付け面とほぼ平行に広がり、照明装置の表面部分全体が明るく光ることが確認された。
上記で得られた本発明の照明装置の性能試験は下記のような方法で行い、評価結果を表１に示した。
［繰返し圧縮試験］
前記照明装置のレンズ部方向から、常温で、荷重０および５００ｋｇｆの繰返し圧縮試験を１００回行い、ＬＥＤが発光しているか否かの確認後、目視によってＴＰＥの割れの有無、外観変形および高さの変化等の測定を行った。また高さの変化を元の高さで割って圧縮永久歪を算出した。
繰返し圧縮試験で使用した装置は「ＯＲＩＥＮＴＥＣ社製、小型万能試験機  ＲＴＣ−１３５０Ａ」である。
【００３３】
【表１】
2006099998.tif 000003
【００３４】
表１から明らかなように、１００回の繰返し圧縮試験を行い、ＬＥＤ発光を確認後、目視による照明装置の割れや外観変形等を観察したが、変化は全くなかった。一方、照明装置の円筒形の高さを計測し、圧縮回数による高さの変化より計算される圧縮永久歪みを算出した結果、表１に記載のとおり圧縮永久歪みは１００回の繰返しで０．５１％であり、特に５０から１００回の繰返し圧縮試験での圧縮永久歪みは変化していないことが確認できた。即ち、本発明の照明装置は圧縮試験で割れや変形がなく、永久歪みも極めて少ないことが証明された。このような性能を持つ本発明による照明装置は道路等の路面に埋設して自動車等がその路面上を通過しても、照明装置の破損やヒビ割れおよび変形は起こらないと推定できる。
【産業上の利用可能性】
【００３５】
本発明の照明装置は、防水機能が高められ、かつ高い圧縮応力にも破損や変形を起こさない強靭な構造を有し、耐久性に優れ、又、ＬＥＤから発光される光が横方向にも広がり、表面部分全体が明るく光る照明装置であるため、このような照明装置は従来のインテリヤ用途だけでなく、屋外用途や道路等に埋設する消防施設の夜間照明用途等の幅広い分野で使用することが出来る。したがって産業界に寄与することが大である。
【図面の簡単な説明】
【００３６】
【図１】本発明の照明装置の実施形態を側面方向から見た断面図
【図２】従来の照明装置を側面方向から見た断面図
【符号の説明】
【００３７】
１．ＬＥＤ
２．ソーラーパネル
３．蓄電池
４．レンズ付筐体
４ａ．レンズ部
４ｂ．筐体部
４ｃ．底板部
５．ボルト
６．凹部頂面 
７．ＴＰＥによる被覆部
８．ＴＰＥからなる台部
ａ．円錐形状の中心線
ｂ．円錐形状の円錐面
【図１】
2006099998.tif 000004
【図２】
2006099998.tif 000005